(57)【要約】電気柵のワイヤ（３０）を支柱（２７）に接続する方法は、中で、２つの穴（１５Ａ、１５Ｂ）がそれぞれ、非導電性フィラメント（１９）と共に、ウェッジ手段（１２Ａ、１２Ｂ）に結合しているボディ（１１）を有するタイプのワイヤコネクタ（１０）を設けることを含み、該フィラメントは、上記支柱の周りで輪になり、かつ上記穴のうちの一方に挿入され、中に押し込まれて支柱（２７）に対してコネクタ（１０）を近接して配置するために引っ張られる自由端（２１）を有し、そのため上記電気柵のワイヤ（３０）の端部（２９）は、他方の穴に挿入されて中に押し込まれ、上記柵のワイヤ及び上記支柱の周りで輪になった上記フィラメントを緊張させるために引っ張られる。
2004537691.tif 000002
【特許請求の範囲】
【請求項１】
電気柵のワイヤを支柱に接続する方法であって、中でウェッジ部材が、ワイヤまたはストランドをその中に挿入することができ、かつ穴の出口端部から出ることが可能な前記各穴の入口端部に向かって収束する溝内に案内されるボディを有するタイプのワイヤコネクタを設けることを備え、前記ウェッジ部材が、圧縮ばねによって、前記ボディの一端部から固定して伸びている非導電可撓性フィラメントと共に、前記各穴の方へ押圧され、前記フィラメントの自由端が、前記柵の支柱の周りを通る輪を形成するために、前記フィラメントの固定端部に最も近い穴に挿入されて、前記フィラメントが、前記穴の中を押し進められてその出口から出て、前記フィラメントの自由端が、前記コネクタを前記支柱に近接して配置するために引っ張られ、その後、前記電気柵のワイヤの端部が、他方の穴の入口に挿入されて、その穴を突き進んでその出口から出て、前記ワイヤの自由端または前記フィラメントの自由端が、前記柵のワイヤ及び該支柱の周りで輪になった該フィラメントを緊張させるために引っ張られる方法。
【請求項２】
電気柵のワイヤを支柱に接続する方法であって、中でウェッジ部材が、ワイヤまたはストランドをその中に挿入することができ、かつ穴の出口端部から出ることが可能な前記各穴の入口端部に向かって収束する溝内に案内されるボディを有するタイプのワイヤコネクタを設けることを備え、前記ウェッジ部材が、圧縮ばねによって、前記ボディの一端部から固定して伸びている非導電可撓性フィラメントと共に、前記各穴の方へ押圧され、前記コネクタがまず、前記電気柵のワイヤがすでに挿入されている前記穴の出口から出るまで前記ワイヤに適用され、その後、前記フィラメントが前記支柱の周りで輪になり、かつその自由端を前記他方の穴に挿入させてその穴の中を押し進めてその出口端部から出て、前記ワイヤの自由端または前記フィラメントの自由端が、前記柵のワイヤ及び前記支柱の周りで輪になった前記フィラメントを緊張させるために引っ張られる方法。
【請求項３】
余分なワイヤが切断される、請求項１または請求項２に記載の方法。
【請求項４】
前記ワイヤの再テンショニングのために、前記ワイヤを引っ張ることができるようにするために、ワイヤを十分に突出させたままにする、請求項３に記載の方法。
【請求項５】
前記コネクタのボディが、金属で形成されている、請求項１〜４のいずれか１項に記載の方法。
【請求項６】
前記コネクタのボディが、非導電材で形成されている、請求項１〜４のいずれか１項に記載の方法。
【請求項７】
前記コネクタのボディが、ガラス入りナイロンで形成されている、請求項６に記載の方法。
【請求項８】
前記コネクタのボディが、両溝を、それぞれの端面に開口した状態の１個構成の成型体として形成され、前記溝の端部が、前記ウェッジ部材及びばねの挿入後の該ばねのための当接部によって閉塞され、前記当接部が、ピン止めまたは超音波溶接によって、あるいは、前記溝の端部内にスナップ式で取付けることによって固定される、請求項６または７に記載の方法。
【請求項９】
前記ワイヤコネクタのボディの各端部が、引っ張り工具の当接部を配置するためのさねはぎ構造を備えている、請求項１〜８のいずれか１項に記載の方法。
【請求項１０】
前記非導電可撓性フィラメントが、前記ボディの一方側からその端部へ伸びている穴の中に自由端を通し、かつ前記穴の端ぐりに嵌合するヘッドまたはカラーを前記フィラメントの他端部に設けることにより、前記コネクタのボディに固定される、請求項１〜９のいずれか１項に記載の方法。
【請求項１１】
絶縁材で被覆されたワイヤまたはワイヤロープからなる非導電性フィラメントを形成することにより、より大きな構造上の安全性が与えられる、請求項１〜１０のいずれか１項に記載の方法。
【請求項１２】
前記ウェッジ部材が、非導電材で形成されている、請求項１〜１１のいずれか１項に記載の方法。
【請求項１３】
前記ウェッジ部材が、セラミック材で形成されている、請求項１２に記載の方法。
【請求項１４】
前記コネクタの少なくとも一端部が、複数の電気柵のワイヤを平行に連結するために使用される導電ワイヤの独立した部分を配置するためのラグを備え、各ワイヤが、同様のワイヤコネクタによって柵の支柱に固定されており、連結ワイヤが、各柵のワイヤの周りにからめられている、請求項１〜１３のいずれか１項に記載の方法。
【請求項１５】
前記ラグが、スナップ動作によって連結ワイヤが各ラグに係合するようなフック状になっていることを特徴とする請求項１４に記載の方法。
【請求項１６】
電気柵のワイヤを支柱に接続する手段であって、中でウェッジ部材が、ワイヤまたはストランドをその中に挿入することができ、かつ穴の出口端部から出ることが可能な前記各穴の入口端部に向かって収束する溝内に案内されるボディを有するタイプのワイヤコネクタを設けることを備え、前記ウェッジ部材が、圧縮ばねによって、前記ボディの一端部から固定して伸びている非導電可撓性フィラメントと共に、前記各穴の方へ押圧される手段。
【請求項１７】
前記フィラメントが、前記ボディの一方側からその端部に向かって、穴内の端ぐりに嵌合した後、前記フィラメントの他端部が、該側から前記ボディの該端部の方へ前記穴の中を通るために、一端部にヘッドまたはカラーを備えている、請求項１６に記載の手段。
【請求項１８】
前記フィラメントが、絶縁材で被覆されたワイヤまたはワイヤロープで形成されている、請求項１６または請求項１７に記載の手段。
【請求項１９】
実質的に、添付図面の図１〜図４を参照して説明するように、電気柵のワイヤを支柱に接続する方法。
【請求項２０】
実質的に、添付図面の図１〜図４を参照して説明するように、ワイヤコネクタ及び非導電可撓性フィラメントを備える、電気柵のワイヤを支柱に接続する手段。
【請求項２１】
実質的に、添付図面の図６または図７を参照して説明するように、前記フィラメントが、絶縁材で被覆されたワイヤまたはワイヤロープで形成されている、請求項２０に記載の手段。
【発明の詳細な説明】
【技術分野】
【０００１】
本発明は、ワイヤ等、例えば、以後、単に「ワイヤ」と呼ぶ、ケーブルやストランドのためのコネクタに関し、またその目的のために、ワイヤに張力を伝えると共に、該ワイヤを、例えば電気柵装置における境界の支柱から電気的に絶縁することが可能なコネクタアセンブリを備える。
【背景技術】
【０００２】
【特許文献１】
仏国特許第２３６０８０２号明細書
【０００３】
【特許文献２】
英国特許第２２１０５１７号明細書
【０００４】
【特許文献３】
英国特許第２２４０５８１号明細書
【０００５】
【特許文献４】
国際公開第９５３０８４４号パンフレット
【０００６】
【特許文献５】
英国特許第２３２２４０８号明細書
【０００７】
【特許文献６】
国際公開第９１０４１３７号パンフレット
【０００８】
柵または同様のワイヤを、柵の支柱等の構造体に対して保持する装置を設け、該装置が、該ワイヤがその中を通る第１の通路と、ばねで付勢されているボールまたはディスクが、そこに向かって、緊張状態で該ワイヤを固定する位置へ回転していく交差部に対して、上記ボールまたはディスクを支える第２の交差通路とを有する金属性ボディを備えていることが、仏国特許第２３６０８０２号明細書で知られている。上記第１の通路と平行な第３の通路は、上記ワイヤが、柵の支柱の周りを通過して、上記第１の通路を通り、（該支柱内に穴を要することなく）該ワイヤを該支柱に対して固定し、かつ緊張させることができるようにする前に、該ワイヤをその中に収容することができる。また、端と端とを接触させたそのような２つの装置を、２つのワイヤを一緒に接続するのに使用することができる。
【０００９】
ワイヤが、長手方向に近接させて２つの穴の中に配置され、ウェッジ手段、例えば、各穴の入口端の方へ収束する溝内に案内されるボール（またはローラ）により、当接部と、上記ボールを押圧して上記ワイヤとかみ合い係合させる該ボール（またはローラ）との間の圧縮ばねを用いて、介在する薄い壁部に対して押圧される、金属性ボディのコネクタを設けることが、英国特許第２２１０５１７号明細書で知られている。
【００１０】
また、ローラのかみ合いを強めるために、英国特許第２２１０５１７号明細書の場合のように、コネクタ内のローラにリブを設けることが英国特許第２２４０５８１号明細書で知られており、また、英国特許第２２１０５１７号明細書の場合のように、リブの付いたウェッジをコネクタ内に設けることが国際公開第９５３０８４４号パンフレットで知られている。
【００１１】
さらに、ワイヤ（またはケーブル）に輪または小環を形成するために、国際公開第９５３０８４４号パンフレットの場合のようなコネクタを用いることが英国特許第２３２２４０８号明細書で知られており、それにより、そのようなコネクタを、柵の支柱の周りでワイヤの輪を固定して緊張させるのに使用することができることが明白である。
【００１２】
上記の従来の金属性のボディの装置の各々は、一方のワイヤから他方のワイヤへ、あるいは、一方のワイヤから柵の支柱へ張力を伝えるだけでなく、ワイヤとワイヤを直接接触させることにより、またはコネクタボディを介して、あるいはワイヤと支柱とを接触させることにより、電流を流すことも可能である。
【発明の開示】
【発明が解決しようとする課題】
【００１３】
【課題を解決するための手段】
【００１４】
対照的に、本発明によれば、電気柵のワイヤを支柱に接続する方法は、中でウェッジ部材（例えば、ボール、ローラまたはウェッジ）が、ワイヤまたはストランドをその中に挿入することができ、かつ上記穴の出口端部から出ることが可能な各穴の入口端部に向かって収束する溝内に案内されるボディを有するタイプのワイヤコネクタを設けることを備え、該ウェッジ部材は、圧縮ばねによって、上記ボディの一端部から固定して伸びている非導電可撓性フィラメントと共に、上記各穴の方へ押圧されており、該フィラメントの自由端は、上記柵の支柱の周りを通る輪を形成するために、該フィラメントの固定端部に最も近い穴に挿入されて、該フィラメントは、該穴の中を押し進められてその出口から出て、該フィラメントの自由端は、上記コネクタを上記支柱に近接して配置するために引っ張られ、その後、上記電気柵のワイヤの端部は、他方の穴の入口に挿入されて、その穴を突き進んでその出口から出て、該ワイヤの自由端または該フィラメントの自由端は、上記電気柵のワイヤの他端部が、柵の支柱に同様に固定されており、あるいは、柵の支柱に最終的に固定されているワイヤに接続されていると仮定した場合、該柵のワイヤ及び該支柱の周りで輪になった該フィラメントを緊張させるために、（例えば、国際公開第９１０４１３７号パンフレットに記載されているような工具またはブラインドリベット工具によって）引っ張られ、該緊張状態は、各ばねにより、それぞれ上記フィラメント及びワイヤにかみ合い係合させられたウェッジ部材によってもたらされる。別法として、上記コネクタはまず、上記電気柵のワイヤがすでに挿入されている上記穴の出口から出るまで、該ワイヤに適用され、その後、上記フィラメントが上記支柱の周りで輪になり、かつその自由端を上記他方の穴に挿入させてその穴の中を押し進めてその出口端部から出て、上記ワイヤの自由端または上記フィラメントの自由端は、該柵のワイヤ及び該支柱の周りで輪になった該フィラメントを緊張させるために引っ張られる。余分なワイヤは、上記支柱との接触のいかなる可能性も排除するために切断してもよいが、ワイヤを十分に突出させたままにして、該ワイヤを再びテンショニングするために、（例えば、上述したような工具によって）該ワイヤを引っ張ることができるようにする。
【００１５】
コネクタボディは、金属で形成してもよいが、好ましくは非導電材で形成され、その適当な具体例はガラス入りナイロンであり、また該コネクタボディは、都合よく、両溝を、それぞれの端面に開口した状態の１個構成の成型体として形成することができ、該溝の端部は、上記ウェッジ部材及びばねの挿入後に、該ばねのための当接部によって閉塞されており、該当接部は、ピン止めまたは超音波溶接によって、あるいは、上記溝の端部内にスナップ式で取付けることによって固定される。
【００１６】
上記ワイヤコネクタのボディの各端部は、好ましくは、国際公開第９１０４１３７号パンフレットに記載されているような引っ張り工具の当接部を配置するためのさねはぎ構造を備えている。
【００１７】
適当な非導電可撓性フィラメントは、すでに園芸用途で使用されており、バイエル社（Ｂａｙｅｒ）から入手可能であり、該フィラメントは、上記ボディの一方側からその端部へ伸びている穴の中に自由端を通し、かつ該穴の端ぐりに嵌合するヘッドまたはカラーを該フィラメントの他端部に設けることにより、上記コネクタに固定することができる。
【００１８】
絶縁材で被覆されたワイヤまたはワイヤロープからなる非導電性フィラメントを形成することにより、より大きな構造上の安全性を与えることができる。
【００１９】
上記ウェッジ部材（ボール、ウェッジまたは、好ましくはローラのいずれか）は、例えば、焼結により、金属で形成してもよく、また、耐食性材料、例えば亜鉛で被覆してもよいが、好ましくは、非導電材、例えばセラミック材で形成される。
【００２０】
上記コネクタの少なくとも一端部は、複数の電気柵のワイヤを平行に連結するために使用される導電ワイヤの独立した部分を配置するためのラグを備えていてもよく、各ワイヤは、同様のワイヤコネクタによって柵の支柱に固定されており、連結ワイヤは、各柵のワイヤの周りにからめられている。該ラグは、連結ワイヤが、スナップ動作によって各ラグに係合するようなフック状になっている。
【００２１】
また、本発明によれば、中でウェッジ部材（例えば、ボール、ローラまたはウェッジ）が、ワイヤをその中に挿入することができ、かつ上記穴の出口端部から出ることが可能な各穴の入口端部に向かって収束する溝内に案内されるボディを有するワイヤコネクタを備える、電気柵のワイヤを支柱に接続する手段が設けられており、該ウェッジ部材は、圧縮ばねによって、上記ボディの一端部から固定して伸びている非導電可撓性フィラメントと共に、上記各穴の方へ押圧されている。
【００２２】
上記フィラメントは、上記ボディの一方側からその端部に向かって、穴内の端ぐりに嵌合した後、上記フィラメントの他端部が、該側から上記ボディの該端部の方へ上記穴の中を通るために、一端部にヘッドまたはカラーを備えてもよく、また該フィラメントは、絶縁材で被覆されたワイヤまたはワイヤロープで形成されてもよい。
【発明を実施するための最良の形態】
【００２３】
次に、添付図面を参照して、本発明の実施形態を、ほんの一例として説明する。
【００２４】
図１〜４に示すワイヤコネクタ１０は、中でローラ１２Ａ、１２Ｂが、ワイヤをその中に挿入することができ、かつ穴１５Ａ、１５Ｂの出口端部１６Ａ、１６Ｂから出ることが可能な各穴１５Ａ、１５Ｂの入口端部１４Ａ、１４Ｂに向かって収束する溝１３Ａ、１３Ｂ内に案内されるボディ１１を有し、該ローラは、圧縮ばね１７Ａ、１７Ｂによって、上記各穴の方へ押圧され、上記コネクタは、上記穴の間の一体化壁部１８と共に、固い非導電材で形成されており、かつ上記ボディの一端部から固定して伸びている非導電可撓性フィラメント１９と結合されている。
【００２５】
（好ましくは、非導電材からなる）当接部材２０Ａ、２０Ｂは、ローラ１２Ａ、１２Ｂ及びばね１７Ａ、１７Ｂの挿入後に、溝１３Ａ、１３Ｂの最初は開口していた端部内に固定されている。
【００２６】
可撓性フィラメント１９は、上記ボディの一方側からその端部へ向かって、端部２１を穴２２内に通し、該穴内の端ぐり２５に嵌合するヘッドまたはカラー２３を、該フィラメントの他端部２４に設けることによって、コネクタボディ１１に固定されている。
【００２７】
コネクタボディ１１に適した材質はガラス入りナイロンであり、また当接部材２０Ａ、２０Ｂは、ピン止めまたは超音波溶接によって、あるいは、溝１３Ａ、１３Ｂの端部内にスナップ式で取付けることによって固定してもよい。適当な非導電可撓性フィラメントは、すでに園芸用途で使用されており、バイエル社から入手可能である。
【００２８】
図３に示すように、フィラメント１９の自由端２１は、柵の支柱２７の周りを通る輪２６を形成し、該フィラメントが穴１５Ａの中に押し進んでその出口１６Ａから出て、該フィラメントの自由端２１を、例えば、上記コネクタを該支柱に近接して配置するために、ボディ１１上のさねはぎ加工された構造２８Ａ上に明確に配置することができる、国際公開第９１０４１３７号パンフレットに記載されているような工具（図示せず）によって引っ張ることができるようになった後に、該フィラメントの固定端部２４に最も近い穴の入口１４Ａに挿入することができ、そのため、電気柵ワイヤ３０の他端部（図示せず）が、柵の支柱に同様に固定されており、あるいは、柵の支柱に最終的に固定されているワイヤに接続されていると仮定した場合、該柵のワイヤ３０及び支柱２７の周りで輪になったフィラメント１９を緊張させるために、電気柵ワイヤ３０を他方の穴の入口１４Ｂに挿入して、穴１５Ｂの中を押し進ませてその出口端部１６Ｂから出し、該ワイヤの自由端２９を、例えば、上記ボディ上の他方のさねはぎ加工構造２８Ｂ上に明確に配置される、上述したような工具によって引っ張ることができ、該緊張状態は、図４に示すように、各ばね１７Ａ、１７Ｂにより、それぞれフィラメント１９及びワイヤ３０にかみ合い係合させられたローラ１２Ａ、１２Ｂによってもたらされる。
【００２９】
余ったワイヤは、ボディ１１の隣接する端部３１と面一に切断してもよいが、好ましくは、ワイヤを十分に突出させたままにして、柵のワイヤ３０が緩くなったときに、テンショニング工具を再び使用して該ワイヤを引っ張ることができるようにする。
【００３０】
ローラ１２Ａ、１２Ｂは、例えば、焼結により、金属で形成してもよく、また、耐食性材料、例えば亜鉛で被覆してもよいが、好ましくは、図２及び４に示すように、非導電材、例えばセラミック材で形成され、いずれの場合においても、好ましくは、フィラメント１９及び柵のワイヤ３０に対するかみ合いを強めるために、リブまたは歯（あるいは、他の表面形状）が形成され、該かみ合いは、壁部１８を破壊することなく、（図４に示すように）穴１５Ａ、１５Ｂ間で該壁部を局所的に湾曲させることによってさらに強めてもよく、それによりフィラメント１９及びワイヤ３０の上記各穴に対する摩擦接触が強まる。
【００３１】
ボディ１１の一端部３２は、複数の電気柵のワイヤ３０を平行に連結するために使用される導電ワイヤの独立した部分３４（図５参照）を配置するためのラグ３３を備えて図示されており、各ワイヤは、同様のワイヤコネクタ１０によって柵の支柱に固定されており、連結ワイヤ３４は、各柵のワイヤ３０の周りにからめられており、ラグ３３は、該連結ワイヤが、スナップ動作によって該ラグに係合するようなフック状になっている。
【００３２】
（図７に示すように）絶縁材５１で被覆されたワイヤ５０からなるフィラメント１９、あるいは（図８に示すように）絶縁材で被覆されたワイヤロープ５２からなるフィラメント１９を形成することにより、コネクタ１０または１４および連結されたフィラメント１９を含む電気柵に、より大きな構造上の安全性を与えることができる。
【図面の簡単な説明】
【００３３】
【図１】本発明に係る非導電可撓性フィラメントを有するワイヤコネクタの一端から見た等角図である。
【図２】図１のコネクタの端から端までの長手方向断面図である。
【図３】フィラメントにより支柱に固定する準備を整えた状態を示すコネクタの他端から見た等角図である。
【図４】図２に対応しているが、図３にも示されている、フィラメントのテンショニング後および電気柵のワイヤのテンショニング後のコネクタを示す図である。
【図５】２つの柵ワイヤを平行に連結した状態の電気柵に含まれる、図１の場合と同じ端部からの立面図で示す、本発明に係る２つのコネクタを示す図である。
【図６】絶縁材で被覆されたワイヤで形成された、非導電可撓性フィラメントの部分拡大図である。
【図７】絶縁材で被覆されたワイヤロープからなるフィラメントを示す、図６に対応する図である。
【図１】
2004537691.tif 000003
【図２】
2004537691.tif 000004
【図３】
2004537691.tif 000005
【図４】
2004537691.tif 000006
【図５】
2004537691.tif 000007
【図６】
2004537691.tif 000008
【図７】
2004537691.tif 000009
【国際公開パンフレット】
2004537691.tif 000010
2004537691.tif 000011
2004537691.tif 000012
2004537691.tif 000013
2004537691.tif 000014
2004537691.tif 000015
2004537691.tif 000016
2004537691.tif 000017
2004537691.tif 000018
2004537691.tif 000019
2004537691.tif 000020
2004537691.tif 000021
2004537691.tif 000022
2004537691.tif 000023
2004537691.tif 000024
【国際調査報告】
2004537691.tif 000025
2004537691.tif 000026
2004537691.tif 000027